【手続補正書】
【提出日】平成23年12月1日(2011.12.1)
【手続補正１】
【補正対象書類名】明細書
【補正対象項目名】０１５０
【補正方法】変更
【補正の内容】
【０１５０】
本出願では、以下の態様が提供される。
１．  成形された高分子材料を製造する方法において、前駆体組成物を提供することであって、（ａ）前記前駆体組成物の総重量に基づく少なくとも１０重量パーセントの極性溶媒であって、前記極性溶媒が水を含む前記極性溶媒と、（ｂ）前記前駆体組成物の総重量に基づく９０重量パーセント以下の重合可能な物質であって、前記重合可能な物質はフリーラジカル重合することができ、少なくとも１．２に等価なモノマー分子当たり平均数のエチレン性不飽和基を有し、前記重合可能な物質は前記極性溶媒と単層を形成し、少なくとも２つの（メタ）アクリロイル基を有し、少なくとも５つのアルキレンオキシド単位を有するポリ（アルキレンオキシド（メタ）アクリレート）を含む、前記重合可能な物質と、を含む前駆体組成物を提供することと、少なくとも２つの別個のウェルを有する成形型を提供することと、前記前駆体組成物を前記成形型に添加することであって、前記前駆体組成物を少なくとも２つの別個のウェルの少なくとも一部に配置することと、前記ウェル内の前記前駆体組成物を放射線に曝露して、前記重合可能な物質を少なくとも部分的に重合させて第１の膨潤した成形された高分子材料を形成することと、を含む、方法。
２．  前記重合可能な物質が、少なくとも３つの（メタ）アクリロイル基を有するポリ（アルキレンオキシド（メタ）アクリレート）を含む、態様１に記載の方法。
３．  前記前駆体組成物が更に光開始剤を含み、前記放射線が化学線を含む、態様１又は２に記載の方法。
４．  前記第１の膨潤した成形された高分子材料を前記成形型から取り外すことを更に含む、態様１〜３のいずれか一項に記載の方法。
５．  取り外すことが前記第１の膨潤した成形された高分子材料に極性溶媒を適用することを含む、態様４に記載の方法。
６．  前記第１の膨潤した成形された高分子材料から前記極性溶媒の少なくとも一部を除去して、乾燥した成形された高分子材料を形成することを更に含む、態様１〜４のいずれか一項に記載の方法。
７．  第２の膨潤した成形された高分子材料を形成するために、前記乾燥した成形された高分子材料がソルベートの少なくとも一部を収着するのに十分な時間にわたって、前記乾燥した成形された高分子材料を前記ソルベートと接触させることを更に含み、前記ソルベートが少なくとも１つの活性剤を含む、態様１〜４又は６のいずれか一項に記載の方法。
８．  前記少なくとも１つの活性剤が生物活性剤を含む、態様７に記載の方法。
９．  前記第２の膨潤した成形された高分子材料を乾燥させることを更に含む、態様７又は８に記載の方法。
１０．  前記前駆体組成物を前記成形型に添加することが、少なくとも２つの別個のウェルを過充填することを含み、前記前駆体組成物が前記ウェル間の前記成形型の第１表面上にとどまる、態様１〜９のいずれか一項に記載の方法。
１１．  前記前駆体組成物が更に活性剤を含む、態様１〜１０のいずれか一項に記載の方法。
１２．  前記活性剤が生物活性剤を含む、態様１１に記載の方法。
１３．  乾燥した成形された高分子材料を形成するために前記第１の膨潤した成形された高分子材料から前記極性溶媒の少なくとも一部を除去することと、第２の膨潤した成形された高分子材料を形成するために、前記乾燥した成形された高分子材料がソルベートの少なくとも一部を収着するのに十分な時間にわたって、前記乾燥した成形された高分子材料を前記ソルベートと接触させることを更に含み、前記ソルベートが少なくとも１つの活性剤を含む、態様１〜４又は１０のいずれか一項に記載の方法。
１４．  前記少なくとも１つの活性剤が生物活性剤を含む、態様１３に記載の方法。
１５．  成形された高分子材料を製造する方法において、前駆体組成物を提供することであって、（ａ）前記前駆体組成物の総重量に基づく少なくとも１０重量パーセントの極性溶媒と、（ｂ）前記前駆体組成物の総重量に基づく９０重量パーセント以下の重合可能な物質であって、前記重合可能な物質はフリーラジカル重合することができ、少なくとも１．２に等価なモノマー分子当たり平均数のエチレン性不飽和基を有し、前記重合可能な物質は前記極性溶媒と単層を形成し、少なくとも２つの（メタ）アクリロイル基と少なくとも５つのアルキレンオキシド単位を有するポリ（アルキレンオキシド（メタ）アクリレート）を含み、前記ポリ（アルキレンオキシド（メタ）アクリレート）は２，０００ｇ／モル未満の重量平均分子量を有する、前記重合可能な物質と、を含む、前駆体組成物を提供することと、少なくとも２つの別個のウェルを有する成形型を提供することと、前記前駆体組成物を前記成形型に添加して、前記前駆体組成物を少なくとも２つの別個のウェルの少なくとも一部に配置することと、前記ウェル内の前記前駆体組成物を放射線に曝露して、前記重合可能な物質を少なくとも部分的に重合させて第１の膨潤した成形された高分子材料を形成することと、を含む、方法。
１６．  前記重合可能な物質が、少なくとも３つの（メタ）アクリロイル基を有するポリ（アルキレンオキシド（メタ）アクリレート）を含む、態様１５に記載の方法。
１７．  前記前駆体組成物が更に光開始剤を含み、前記放射線が化学線を含む、態様１５又は１６に記載の方法。
１８．  前記第１の膨潤した成形された高分子材料を前記成形型から取り外すことを更に含む、態様１５〜１７のいずれか一項に記載の方法。
１９．  取り外すことが前記第１の膨潤した成形された高分子材料に極性溶媒を適用することを含む、態様１８に記載の方法。
２０．  前記第１の膨潤した成形された高分子材料から前記極性溶媒の少なくとも一部を除去して、乾燥した成形された高分子材料を形成することを更に含む、態様１５〜１８のいずれか一項に記載の方法。
２１．  第２の膨潤した成形された高分子材料を形成するために、前記乾燥した成形された高分子材料がソルベートの少なくとも一部を収着するのに十分な時間にわたって、前記乾燥した成形された高分子材料を前記ソルベートと接触させることを更に含み、前記ソルベートが少なくとも１つの活性剤を含む、態様１５〜１８又は２０のいずれか一項に記載の方法。
２２．  前記少なくとも１つの活性剤が生物活性剤を含む、態様２１に記載の方法。
２３．  前記第２の膨潤した成形された高分子材料を乾燥させることを更に含む、態様２１又は２２に記載の方法。
２４．  前記前駆体組成物を前記成形型に添加することが少なくとも２つの別個のウェルを過充填することを含み、前記前駆体組成物が前記ウェル間の前記成形型の第１表面上にとどまる、態様１５〜２３のいずれか一項に記載の方法。
２５．  前記前駆体組成物が更に活性剤を含む、態様１５〜２４のいずれか一項に記載の方法。
２６．  前記活性剤が生物活性剤を含む、態様２５に記載の方法。
２７．  乾燥した成形された高分子材料を形成するために前記第１の膨潤した成形された高分子材料から前記極性溶媒の少なくとも一部を除去することと、第２の膨潤した成形された高分子材料を形成するために、前記乾燥した成形された高分子材料がソルベートの少なくとも一部を収着するのに十分な時間にわたって、前記乾燥した成形された高分子材料を前記ソルベートと接触させることを更に含み、前記ソルベートが少なくとも１つの活性剤を含む、態様１５〜１８又は２４のいずれか一項に記載の方法。
２８．  前記少なくとも１つの活性剤が生物活性剤を含む、態様２７に記載の方法。
本開示の範囲及び趣旨から逸脱することなく本開示の様々な修正形態及び変更形態が、当業者には、明らかとなろう。また、本開示は、本明細書に記載した例示的な要素に限定されないことが理解されるべきである。
【手続補正２】
【補正対象書類名】特許請求の範囲
【補正対象項目名】全文
【補正方法】変更
【補正の内容】
【特許請求の範囲】
【請求項１】
成形された高分子材料を製造する方法において、
前駆体組成物を提供することであって、
（ａ）前記前駆体組成物の総重量に基づく少なくとも１０重量パーセントの極性溶媒と、
（ｂ）前記前駆体組成物の総重量に基づく９０重量パーセント以下の重合可能な物質であって、前記重合可能な物質はフリーラジカル重合することができ、少なくとも１．２に等価なモノマー分子当たり平均数のエチレン性不飽和基を有し、前記重合可能な物質は前記極性溶媒と単層を形成し、少なくとも２つの（メタ）アクリロイル基と少なくとも５つのアルキレンオキシド単位を有するポリ（アルキレンオキシド（メタ）アクリレート）を含み、前記ポリ（アルキレンオキシド（メタ）アクリレート）は２，０００ｇ／モル未満の重量平均分子量を有する、前記重合可能な物質と、を含む、前駆体組成物を提供することと、
少なくとも２つの別個のウェルを有する成形型を提供することと、
前記前駆体組成物を前記成形型に添加して、前記前駆体組成物を少なくとも２つの別個のウェルの少なくとも一部に配置することと、
前記ウェル内の前記前駆体組成物を放射線に曝露して、前記重合可能な物質を少なくとも部分的に重合させて第１の膨潤した成形された高分子材料を形成し、前記第１の膨潤した成形された高分子材料が球以外の形状を有することと、を含む、方法。